(57)【要約】消火システムのためのスプリンクラーは、半径方向に延在する線に沿ってプレートの中心に向かってプレートの周縁から延在する、５つの異なるタイプのスロットを有する、偏向器プレートを含む。スロットは、矢形状、棍棒形状、および鍵穴形状である。偏向器プレートを支持するフレームアームと整合する、矢じりスロットは、フレームアームの厚さより広い。フレームアームの平面に近接する、棍棒形状および矢形状スロットは、プレートの中心から延在する半径方向線に対して非対称である一方、フレームアームの平面の遠位の矢形状および鍵穴形状スロットは、プレートの中心から延在する半径方向線に対して対称である。
2021516095.tif 000002
【特許請求の範囲】
【請求項１】
消火用スプリンクラーであって、前記スプリンクラーは、
ボアを囲繞する本体であって、前記ボアは、前記ボアと同軸に配列される流動軸を画定する、本体と、
第１および第２のフレームアームであって、前記第１および第２のフレームアームは、前記本体の対向側上に搭載され、そこから前記流動軸に沿った方向に延在し、前記フレームアームは、平面を画定する、第１および第２のフレームアームと、
前記フレームアームの端部上に搭載されるノーズであって、前記ノーズは、前記流動軸と同軸に位置付けられる、ノーズと、
偏向器プレートであって、前記偏向器プレートは、前記ノーズ上に搭載され、前記流動軸に対して横方向に配向され、前記偏向器プレートは、前記流動軸上に位置する中心を囲繞する周縁を有し、前記偏向器プレートは、
前記周縁から前記中心に向かって半径方向に延在する第１の構成の複数のスロットであって、前記第１の構成のスロットのうちの少なくとも２つは、前記平面内に配置される、第１の構成の複数のスロットと、
第２の構成の少なくとも４つのスロットであって、前記第２の構成の少なくとも４つのスロットは、前記第２の構成のスロットのうちの１つが、前記平面内に配置される前記第１の構成のスロットのそれぞれの各側に隣接して位置付けられるように、前記周縁から前記中心に向かって半径方向に延在し、前記周縁のまわりに位置する、第２の構成の少なくとも４つのスロットと、
前記周縁から前記中心に向かって半径方向に延在する第３の構成の複数のスロットと
を備え、前記第２の構成のスロットは、前記第１の構成のスロットより大きい面積を有する、偏向器プレートと
を備える、スプリンクラー。
【請求項２】
前記第２の構成のスロットは、前記第１および前記第３の構成のスロットのいずれかの最大面積を有する、請求項１に記載の消火用スプリンクラー。
【請求項３】
前記ボアは、ｋ＝１４．０以上のｋ係数を画定し、前記消火用スプリンクラーは、ペンダント配向に配設されるように適合される、請求項１に記載の消火用スプリンクラー。
【請求項４】
前記第２の構成のスロットは、前記周縁から延在するハンドルと、前記中心からある距離で終端する棍棒ヘッドとを備える棍棒形状を有し、前記ハンドルに近接する前記棍棒ヘッドの幅は、前記中心に近接する前記棍棒ヘッドの幅未満である、請求項１に記載の消火用スプリンクラー。
【請求項５】
前記棍棒ヘッドの最広幅は、前記ハンドルの最広幅より広い、請求項４に記載の消火用スプリンクラー。
【請求項６】
前記棍棒ヘッドは、前記中心からの前記距離に湾曲先端を有する、請求項５に記載の消火用スプリンクラー。
【請求項７】
前記棍棒ヘッドは、前記中心から半径方向に延在する線に対して非対称である、請求項４に記載の消火用スプリンクラー。
【請求項８】
前記棍棒ヘッドは、前記線に対して第１の角度に配向される第１の縁と、前記第１の縁と反対の第２の縁とによって画定され、前記第２の縁は、前記線に対して第２の角度に配向され、前記第２の角度は、前記第１の角度と異なる、請求項７に記載の消火用スプリンクラー。
【請求項９】
前記第２の構成のスロットはそれぞれ、前記中心から半径方向に延在する線に対して対称である、請求項４に記載の消火用スプリンクラー。
【請求項１０】
前記第２の構成のスロットは、前記周縁から延在するウエストと、前記中心からある距離で終端する鍵ヘッドとを備える鍵穴形状を有する、請求項１に記載の消火用スプリンクラー。
【請求項１１】
前記鍵ヘッドの最広幅は、前記ウエストの最広幅より広い、請求項１０に記載の消火用スプリンクラー。
【請求項１２】
前記ウエストに近接する前記鍵ヘッドの幅は、前記中心に近接する前記鍵ヘッドの幅と等しい、請求項１０に記載の消火用スプリンクラー。
【請求項１３】
前記鍵ヘッドは、前記中心からの前記距離に湾曲先端を有する、請求項１０に記載の消火用スプリンクラー。
【請求項１４】
前記鍵ヘッドは、前記中心から半径方向に延在する線に対して対称である、請求項１０に記載の消火用スプリンクラー。
【請求項１５】
前記第１の構成のスロットは、前記周縁から延在するシャフトと、前記中心から第１の距離で終端する矢じりとを備える矢じり形状を有し、前記矢じりは、前記中心から半径方向に延在する線に対して非対称である、請求項１に記載の消火用スプリンクラー。
【請求項１６】
前記矢じりは、前記線に対して第１の角度に配向される第１の縁と、前記第１の縁と反対の第２の縁とによって画定され、前記第２の縁は、前記線に対して第２の角度に配向され、前記第２の角度は、前記第１の角度と異なる、請求項１５に記載の消火用スプリンクラー。
【請求項１７】
前記矢じりの最広幅は、前記シャフトの最広幅より広い、請求項１５に記載の消火用スプリンクラー。
【請求項１８】
前記シャフトに近接する前記矢じりの幅は、前記中心に近接する前記矢じりの幅を上回る、請求項１５に記載の消火用スプリンクラー。
【請求項１９】
前記矢じりは、前記中心からの前記距離に湾曲先端を有する、請求項１５に記載の消火用スプリンクラー。
【請求項２０】
前記シャフトは、前記矢じりに近接する前記シャフトの幅を上回る幅を前記周縁に有する、請求項１５に記載の消火用スプリンクラー。
【請求項２１】
前記シャフトは、第１および第２の対向して配置される縁によって画定され、前記縁はそれぞれ、前記シャフトが前記矢じりに近接する前記シャフトの幅を上回る幅を前記周縁に有するように、前記中心から半径方向に延在する線に対して角度を付けて配向される、請求項１５に記載の消火用スプリンクラー。
【請求項２２】
前記偏向器プレートはさらに、第４の構成の複数のスロットを備える、請求項１に記載の消火用スプリンクラー。
【請求項２３】
前記偏向器プレートはさらに、第５の構成の複数のスロットを備える、請求項２２に記載の消火用スプリンクラー。
【請求項２４】
消火用スプリンクラーであって、前記スプリンクラーは、
ボアを囲繞する本体であって、前記ボアは、前記ボアと同軸に配列される流動軸を画定する、本体と、
第１および第２のフレームアームであって、前記第１および第２のフレームアームは、前記本体の対向側上に搭載され、そこから前記流動軸に沿った方向に延在し、前記フレームアームは、平面を画定する、第１および第２のフレームアームと、
前記フレームアームの端部上に搭載されるノーズであって、前記ノーズは、前記流動軸と同軸に位置付けられる、ノーズと、
偏向器プレートであって、前記偏向器プレートは、前記ノーズ上に搭載され、前記流動軸に対して横方向に配向され、前記偏向器プレートは、前記流動軸上に位置する中心を囲繞する周縁を有し、前記偏向器プレートは、
第１の構成の複数のスロットであって、前記第１の構成の複数のスロットは、前記周縁から前記中心に向かって半径方向に延在し、前記中心から第１の距離で終端し、前記第１の構成のスロットのうちの少なくとも２つは、前記平面内に配置される、第１の構成の複数のスロットと、
第２の構成の少なくとも４つのスロットであって、前記第２の構成の少なくとも４つのスロットは、前記周縁から前記中心に向かって半径方向に延在し、前記中心から第２の距離で終端し、前記第２の構成のスロットは、前記第２の構成のスロットのうちの１つが、前記平面内に配置される前記第１の構成のスロットのそれぞれの各側に隣接して位置付けられるように、前記周縁のまわりに位置する、第２の構成の少なくとも４つのスロットと、
第３の構成の複数のスロットであって、前記第３の構成の複数のスロットは、前記周縁から前記中心に向かって半径方向に延在し、前記中心から第３の距離で終端する、第３の構成の複数のスロットと
を備え、前記第２の距離は、前記第１または第３の距離のいずれか未満である、偏向器プレートと
を備える、スプリンクラー。
【請求項２５】
前記ノーズは、前記流動軸から測定された最大半径を有し、前記第１、第２、および第３の距離は、前記最大半径を上回る、請求項２４に記載の消火用スプリンクラー。
【請求項２６】
前記ボアは、ｋ＝１４．０以上のｋ係数を画定し、前記消火用スプリンクラーは、ペンダント配向に配設されるように適合される、請求項２４に記載の消火用スプリンクラー。
【請求項２７】
前記第２の構成のスロットは、前記周縁から延在するハンドルと、前記中心からある距離で終端する棍棒ヘッドとを備える棍棒形状を有し、前記ハンドルに近接する前記棍棒ヘッドの幅は、前記中心に近接する前記棍棒ヘッドの幅未満である、請求項２４に記載の消火用スプリンクラー。
【請求項２８】
前記棍棒ヘッドの最広幅は、前記ハンドルの最広幅より広い、請求項２７に記載の消火用スプリンクラー。
【請求項２９】
前記棍棒ヘッドは、前記中心からの前記距離に湾曲先端を有する、請求項２８に記載の消火用スプリンクラー。
【請求項３０】
前記棍棒ヘッドは、前記中心から半径方向に延在する線に対して非対称である、請求項２７に記載の消火用スプリンクラー。
【請求項３１】
前記棍棒ヘッドは、前記線に対して第１の角度に配向される第１の縁と、前記第１の縁と反対の第２の縁とによって画定され、前記第２の縁は、前記線に対して第２の角度に配向され、前記第２の角度は、前記第１の角度と異なる、請求項３０に記載の消火用スプリンクラー。
【請求項３２】
前記第２の構成のスロットはそれぞれ、前記中心から半径方向に延在する線に対して対称である、請求項２７に記載の消火用スプリンクラー。
【請求項３３】
前記第２の構成のスロットは、前記周縁から延在するウエストと、前記中心からある距離で終端する鍵ヘッドとを備える鍵穴形状を有する、請求項２４に記載の消火用スプリンクラー。
【請求項３４】
前記鍵ヘッドの最広幅は、前記ウエストの最広幅より広い、請求項３３に記載の消火用スプリンクラー。
【請求項３５】
前記ウエストに近接する前記鍵ヘッドの幅は、前記中心に近接する前記鍵ヘッドの幅と等しい、請求項３３に記載の消火用スプリンクラー。
【請求項３６】
前記鍵ヘッドは、前記中心からの前記距離に湾曲先端を有する、請求項３３に記載の消火用スプリンクラー。
【請求項３７】
前記鍵ヘッドは、前記中心から半径方向に延在する線に対して対称である、請求項３３に記載の消火用スプリンクラー。
【請求項３８】
前記第１の構成のスロットは、前記周縁から延在するシャフトと、前記中心から第１の距離で終端する矢じりとを備える矢じり形状を有し、前記矢じりは、前記中心から半径方向に延在する線に対して非対称である、請求項２４に記載の消火用スプリンクラー。
【請求項３９】
前記矢じりは、前記線に対して第１の角度に配向される第１の縁と、前記第１の縁と反対の第２の縁とによって画定され、前記第２の縁は、前記線に対して第２の角度に配向され、前記第２の角度は、前記第１の角度と異なる、請求項３８に記載の消火用スプリンクラー。
【請求項４０】
前記矢じりの最広幅は、前記シャフトの最広幅より広い、請求項３８に記載の消火用スプリンクラー。
【請求項４１】
前記シャフトに近接する前記矢じりの幅は、前記中心に近接する前記矢じりの幅を上回る、請求項３８に記載の消火用スプリンクラー。
【請求項４２】
前記矢じりは、前記中心からの前記距離に湾曲先端を有する、請求項３８に記載の消火用スプリンクラー。
【請求項４３】
前記シャフトは、前記矢じりに近接する前記シャフトの幅を上回る幅を前記周縁に有する、請求項３８に記載の消火用スプリンクラー。
【請求項４４】
前記シャフトは、第１および第２の対向して配置される縁によって画定され、前記縁はそれぞれ、前記シャフトが前記矢じりに近接する前記シャフトの幅を上回る幅を前記周縁に有するように、前記中心から半径方向に延在する線に対して角度を付けて配向される、請求項３８に記載の消火用スプリンクラー。
【請求項４５】
前記偏向器プレートはさらに、第４の構成の複数のスロットを備える、請求項２４に記載の消火用スプリンクラー。
【請求項４６】
前記偏向器プレートはさらに、第５の構成の複数のスロットを備える、請求項４５に記載の消火用スプリンクラー。
【請求項４７】
早期制圧速動消火用スプリンクラーであって、前記スプリンクラーは、
ペンダント配向において使用するために適合される本体であって、前記本体は、ボアを囲繞し、前記ボアは、前記ボアと同軸に配列される流動軸を画定し、前記ボアは、ｋ＝２５．２以上のｋ係数を画定する、本体と、
第１および第２のフレームアームであって、前記第１および第２のフレームアームは、前記本体の対向側上に搭載され、そこから前記流動軸に沿った方向に延在し、前記フレームアームは、平面を画定する、第１および第２のフレームアームと、
プラグであって、前記プラグは、前記フレームアーム間の前記本体上に除去可能に搭載され、前記ボアを覆う、プラグと、
ノーズであって、前記ノーズは、前記プラグから１．０インチ未満の距離において、前記フレームアームの端部上に搭載され、前記ノーズは、前記流動軸と同軸に位置付けられる、ノーズと、
偏向器プレートであって、前記偏向器プレートは、前記ノーズ上に搭載され、前記流動軸に対して横方向に配向され、前記偏向器プレートは、前記流動軸上に位置する中心を囲繞する周縁を有し、前記偏向器プレートは、
複数の第１のスロットであって、前記複数の第１のスロットは、前記周縁から前記中心に向かって半径方向に延在し、前記流動軸から第１の距離で終端し、前記第１のスロットのうちの少なくとも２つは、前記平面内に配置される、複数の第１のスロットと、
複数の第２のスロットであって、前記複数の第２のスロットは、前記周縁から前記中心に向かって半径方向に延在し、前記流動軸から第２の距離で終端し、前記第２のスロットは、前記第２のスロットのうちの１つが、前記平面内に配置される前記第１のスロットのそれぞれの各側に隣接して位置付けられるように、前記周縁のまわりに位置する、複数の第２のスロットと、
を備え、前記第２の距離は、前記第１の距離未満である、前記偏向器プレートと
を備える、スプリンクラー。
【請求項４８】
前記ノーズは、前記流動軸から測定された最大半径を有し、前記第１および第２の距離は、前記最大半径を上回る、請求項４７に記載の消火用スプリンクラー。
【請求項４９】
消火用スプリンクラーであって、前記スプリンクラーは、
ボアを囲繞する本体であって、前記ボアは、前記ボアと同軸に配列される流動軸を画定する、本体と、
第１および第２のフレームアームであって、前記第１および第２のフレームアームは、前記本体の対向側上に搭載され、そこから前記流動軸に沿った方向に延在する、第１および第２のフレームアームと、
前記フレームアームの端部上に搭載されるノーズであって、前記ノーズは、前記流動軸と同軸に位置付けられる、ノーズと、
偏向器プレートであって、前記偏向器プレートは、前記ノーズ上に搭載され、前記流動軸に対して横方向に配向され、前記偏向器プレートは、前記流動軸上に位置する中心を囲繞する周縁を有し、
前記周縁から前記中心に向かって半径方向に延在する第１のスロットであって、前記第１のスロットは、前記周縁から延在する第１のシャフトと、前記中心から第１の距離で終端する第１の矢じりとを備える矢形状を有し、前記第１のスロットは、前記第１のアームと整合され、前記第１のスロットの最広幅は、前記第１のアームの厚さ以上である、第１のスロットと
を備える、偏向器プレートと
を備える、スプリンクラー。
【請求項５０】
前記シャフトは、第１および第２の対向して配置される縁によって画定され、各前記縁は、前記第１のシャフトが、前記第１の矢じりに近接する前記第１のシャフトの幅を上回る幅を前記周縁に有するように、前記中心から半径方向に延在する第１の線に対して角度を付けて配向される、請求項４９に記載のスプリンクラー。
【請求項５１】
前記第１の矢じりの最広幅は、前記第１のシャフトの最広幅より広い、請求項４９に記載のスプリンクラー。
【請求項５２】
前記第１のシャフトに近接する前記第１の矢じりの幅は、前記中心に近接する前記第１の矢じりの幅を上回る、請求項４９に記載のスプリンクラー。
【請求項５３】
前記第１の矢じりは、前記中心から前記第１の距離に湾曲先端を有する、請求項４９に記載のスプリンクラー。
【請求項５４】
前記第１のスロットは、前記中心から半径方向に延在する第１の線を中心として対称である、請求項４９に記載のスプリンクラー。
【請求項５５】
前記周縁から前記中心に向かって半径方向に延在する第２のスロットをさらに備え、前記第２のスロットは、前記周縁から延在するハンドルと、前記中心から第２の距離で終端する棍棒ヘッドとを備える棍棒形状を有し、前記ハンドルに近接する前記棍棒ヘッドの幅は、前記中心に近接する前記棍棒ヘッドの幅未満である、請求項４９に記載のスプリンクラー。
【請求項５６】
前記棍棒ヘッドの最広幅は、前記ハンドルの最広幅より広い、請求項５５に記載のスプリンクラー。
【請求項５７】
前記棍棒ヘッドは、前記中心から前記第２の距離に湾曲先端を有する、請求項５５に記載のスプリンクラー。
【請求項５８】
前記棍棒ヘッドは、前記中心から半径方向に延在する第２の線に対して非対称である、請求項５５に記載のスプリンクラー。
【請求項５９】
前記棍棒ヘッドは、前記第２の線に対して第１の角度に配向される第１の縁と、前記第１の縁と反対の第２の縁とによって画定され、前記第２の縁は、前記第２の線に対して第２の角度に配向され、前記第２の角度は、前記第１の角度と異なる、請求項５８に記載のスプリンクラー。
【請求項６０】
前記周縁から前記中心に向かって半径方向に延在する第３のスロットをさらに備え、前記第３のスロットは、前記周縁から延在する第２のシャフトと、前記中心から第３の距離で終端する第２の矢じりとを備える第２の矢形状を有し、前記第３の矢じりは、前記中心から半径方向に延在する第３の線に対して非対称である、請求項４９に記載のスプリンクラー。
【請求項６１】
前記第２の矢じりは、前記第３の線に対して第１の角度に配向される第１の縁と、前記第１の縁と反対の第２の縁とによって画定され、前記第２の縁は、前記第３の線に対して第２の角度に配向され、前記第２の角度は、前記第１の角度と異なる、請求項６０に記載のスプリンクラー。
【請求項６２】
前記第２の矢じりの最広幅は、前記第２のシャフトの最広幅より広い、請求項６０に記載のスプリンクラー。
【請求項６３】
前記第２のシャフトに近接する前記第２の矢じりの幅は、前記中心に近接する前記第２の矢じりの幅を上回る、請求項６０に記載のスプリンクラー。
【請求項６４】
前記第２の矢じりは、前記中心から前記第３の距離に湾曲先端を有する、請求項６０に記載のスプリンクラー。
【請求項６５】
前記第２のシャフトは、前記第２の矢じりに近接する前記第２のシャフトの幅を上回る幅を前記周縁に有する、請求項６０に記載のスプリンクラー。
【請求項６６】
前記第２のシャフトは、第１および第２の対向して配置される縁によって画定され、各前記縁は、前記第２のシャフトが前記第２の矢じりに近接する前記第２のシャフトの幅を上回る幅を前記周縁に有するように、前記第３の線に対して角度を付けて配向される、請求項６０に記載のスプリンクラー。
【請求項６７】
前記周縁から前記中心に向かって半径方向に延在する第４のスロットをさらに備え、前記第４のスロットは、前記周縁から延在するウエストと、前記中心から第４の距離で終端する鍵ヘッドとを備える鍵穴形状を有する、請求項４９に記載のスプリンクラー。
【請求項６８】
前記鍵ヘッドの最広幅は、前記ウエストの最広幅より広い、請求項６７に記載のスプリンクラー。
【請求項６９】
前記ウエストに近接する前記鍵ヘッドの幅は、前記中心に近接する前記鍵ヘッドの幅と等しい、請求項６７に記載のスプリンクラー。
【請求項７０】
前記鍵ヘッドは、前記中心から前記第４の距離に湾曲先端を有する、請求項６７に記載のスプリンクラー。
【請求項７１】
前記鍵ヘッドは、前記中心から半径方向に延在する第４の線に対して対称である、請求項６７に記載のスプリンクラー。
【請求項７２】
前記周縁から前記中心に向かって半径方向に延在する第５のスロットをさらに備え、前記第５のスロットは、前記周縁から延在する第３のシャフトと、前記中心から第５の距離で終端する第３の矢じりとを備える第３の矢形状を有し、前記第３のシャフトは、第３および第４の対向して配置される縁によって画定され、前記第３および第４の縁はそれぞれ、前記第３のシャフトが前記矢じりに近接する前記第３のシャフトの幅を上回る幅を前記周縁に有するように、前記中心から半径方向に延在する第５の線に対して角度を付けて配向される、請求項５０に記載のスプリンクラー。
【請求項７３】
前記第３のシャフトは、前記周縁における前記第１のシャフトの幅より広い幅を前記周縁に有する、請求項７２に記載のスプリンクラー。
【請求項７４】
前記第３の矢じりの最広幅は、前記第３のシャフトの最広幅より広い、請求項７２に記載のスプリンクラー。
【請求項７５】
前記第３のシャフトに近接する前記第３の矢じりの幅は、前記中心に近接する前記第３の矢じりの幅を上回る、請求項７２に記載のスプリンクラー。
【請求項７６】
前記第３の矢じりは、前記中心から前記第５の距離に湾曲先端を有する、請求項７２に記載のスプリンクラー。
【請求項７７】
前記第３の矢じりは、前記中心から半径方向に延在する第５の線に対して対称である、請求項７２に記載のスプリンクラー。
【請求項７８】
消火用スプリンクラーであって、前記スプリンクラーは、
ボアを囲繞する本体であって、前記ボアは、前記ボアと同軸に配列される流動軸を画定する、本体と、
第１および第２のフレームアームであって、前記第１および第２のフレームアームは、前記本体の対向側上に搭載され、そこから前記流動軸に沿った方向に延在する、第１および第２のフレームアームと、
前記フレームアームの端部上に搭載されるノーズであって、前記ノーズは、前記流動軸と同軸に位置付けられる、ノーズと、
偏向器プレートであって、前記偏向器プレートは、前記ノーズ上に搭載され、前記流動軸に対して横方向に配向され、前記偏向器プレートは、前記流動軸上に位置する中心を囲繞する周縁を有し、
前記周縁から前記中心に向かって半径方向に延在する第１のスロットであって、前記第１のスロットは、前記周縁から延在する第１のシャフトと、前記中心から第１の距離で終端する第１の矢じりとを備える矢形状を有し、前記第１のシャフトは、第１および第２の対向して配置される縁によって画定され、前記第１および第２の縁はそれぞれ、前記第１のシャフトが、前記第１の矢じりに近接する前記第１のシャフトの幅を上回る幅を前記周縁に有するように、前記中心から半径方向に延在する第１の線に対して角度を付けて配向される、第１のスロットと、
前記周縁から前記中心に向かって半径方向に延在する第２のスロットであって、前記第２のスロットは、前記周縁から延在する第２のシャフトと、前記中心から第２の距離で終端する第２の矢じりとを備える矢形状を有し、前記第２のシャフトは、第１および第２の対向して配置される縁によって画定され、前記第２のシャフトを画定する前記縁はそれぞれ、前記第２のシャフトが前記第２の矢じりに近接する前記第２のシャフトの幅を上回る幅を前記周縁に有するように、前記中心から半径方向に延在する第２の線に対して角度を付けて配向され、前記第２の線は、前記第１の線に対してある角度に配向される、第２のスロットと、
前記周縁から前記中心に向かって半径方向に延在する第３のスロットであって、前記第３のスロットは、前記周縁から延在するハンドルと、前記中心から第３の距離で終端する棍棒ヘッドとを備える棍棒形状を有し、前記ハンドルに近接する前記棍棒ヘッドの幅は、前記中心に近接する前記棍棒ヘッドの幅未満であり、前記第３のスロットは、前記第１のスロットと第２のスロットとの間に位置付けられる、第３のスロットと、
前記周縁から前記中心に向かって半径方向に延在する第４のスロットであって、前記第４のスロットは、前記周縁から延在する第３のシャフトと、前記中心から第４の距離で終端する第３の矢じりとを備える矢形状を有し、前記第４のスロットは、前記第２のスロットと第３のスロットとの間に位置付けられる、第４のスロットと、
前記周縁から前記中心に向かって半径方向に延在する第５のスロットであって、前記第５のスロットは、前記周縁から延在するウエストと、前記中心から第５の距離で終端する鍵ヘッドとを備える鍵穴形状を有し、前記第５のスロットは、前記第２のスロットと第４のスロットとの間に位置付けられる、第５のスロットと
を備える、偏向器プレートと
を備える、スプリンクラー。
【発明の詳細な説明】
【技術分野】
【０００１】
（関連出願の相互参照）
本願は、２０１８年３月８日に出願され、参照することによって本明細書に組み込まれる、米国仮出願第６２／６４０，２０８号に基づき、その優先権を主張する。
【０００２】
本発明は、消火用スプリンクラーおよび消火用スプリンクラーと併用される偏向器に関する。
【背景技術】
【０００３】
倉庫貯蔵保管市場の成長は、倉庫の平方フィート数だけではなく、倉庫天井高および製品（商品として知られる）がそれらの倉庫内に保管され得る密度の増加にも拍車をかけている。早期制圧速動（ＥＳＦＲ）消火用スプリンクラーとして知られるスプリンクラーは、倉庫保管と関連付けられた火災の課題に対処するために、１９８０年代に開発された。一式の相互に関連した規約および規格、特に、Ｎａｔｉｏｎａｌ  Ｆｉｒｅ  Ｓｐｒｉｎｋｌｅｒ  Ａｓｓｏｃｉａｔｉｏｎ（ＮＦＰＡ）、ＵＬ、およびＦＭ  Ｇｌｏｂａｌによって発布されたものが、ＥＳＦＲスプリンクラーの最小限の性能および異なるＥＳＦＲスプリンクラーがその個々の性能に応じて使用され得る用途に関する規格を定めている。そのようなＥＳＦＲスプリンクラーは、一般に、式Ｑ＝ｋ（ｐ）１／２を通して、スプリンクラーからの放水率「Ｑ」とスプリンクラー内の水圧「ｐ」との間の関係として定義される、「ｋ係数」として表される（ＥＳＦＲスプリンクラーは、代表例である、約１４、１７、および２５の標準化されたｋ係数を有する）、所与の圧力において送達可能な水の量によって分類される。より高いｋ係数のスプリンクラーは、より小さいｋ係数より、所与の圧力において、多くの水を放出し、したがって、より高いｋ係数のＥＳＦＲスプリンクラーが、天井高が増加するにつれて、保護を提供するために使用され、ＮＦＰＡ−１３「スプリンクラーシステムの配設のための規格」等の規格は、所与のｋ係数スプリンクラーと併用するための、ある最大天井高、商品高、および商品間隔を定めている。
【０００４】
ｋ係数１７およびそれを上回る（４０フィートおよびそれを上回る天井高と併用するために指定されることが可能である）ＥＳＦＲスプリンクラーの設計に対する最近の課題は、そのようなスプリンクラーが、実際の火災試験を介して、「高隙間」用途として知られるものの需要を満たす能力を実証する、ＵＬのＵＬ１７６７標準によって定められた性能基準に対する変更であった。高隙間用途は、倉庫天井と商品との間に大隙間を有する、倉庫内の商品の保護を指す。４０フィートおよびそれを上回る天井高を有する、倉庫は、床から２０フィートの高さにおけるラック内に陳列された商品を有し、２０フィートの隙間を（スプリンクラーが位置付けられる場所の近傍の）天井と商品との間に残し得る。隙間距離が、１０フィートを上回る場合、そのような用途は、「高隙間」用途と称される。そのような高隙間で動作する、ＥＳＦＲスプリンクラーに対する課題は、スプリンクラー自体下の火災を消火するために十分な密度および速度を有する、消火液のコア流動を維持しながら、また、外側の周囲「傘状」噴霧パターンを維持し、所望の面積を保護するために要求される分配範囲を提供し、かつ外側傘状パターンとコア流動との間の中間範囲内の十分な流動を維持し、その中間ゾーン内の火災が大きくなり、外側傘帯まで広がることを防止することを含む。しかしながら、いくつかの先行技術ＥＳＦＲスプリンクラー設計に関して、スプリンクラーと商品との間の高隙間距離は、噴霧パターンがあまりに広い面積にわたって分配された状態になることを可能にし、それによって、噴霧パターン密度を、特に、中間ゾーンにおいて、故に、スプリンクラーの消火有効性を低減させる。そのような状態はまた、火災プルームによって生成された上昇気流が、外側傘状噴霧パターンを途絶および消失させることを可能にし、これは、ある場合には、隣接するスプリンクラーの湿潤および冷却を生じさせ、それによって、その動作を妨害または遅延させ得る。本現象は、火災の熱プルームが、そうでなければ、火災を消火するように最良に設置されている、近傍の冷却されたスプリンクラーを「スキップ」させるため、「スキッピング」として知られる。さらに、スキッピングはまた、火災からより遠隔のスプリンクラーのトリガをもたらす傾向にあり、したがって、消火にあまり効果的ではない。結果として、火災および水害の両方が増加し、かつスキッピングが、最終的には、防火システムが壊滅される結果をもたらし得るため、要請された消防士が大火事と戦う付加的リスクが生じる。
【０００５】
各所与のスプリンクラーｋ係数における、天井高および天井下のラック内に陳列された商品高を制御する、規制に加え、これらの規制はさらに、商品を保管するラック間のある最小隙間距離（通路幅として知られる）を定めている。これらの規制は、ＥＳＦＲスプリンクラーのシステムに関する需要が、商品が保管される最大高さによってだけではなく、また、ＥＳＦＲスプリンクラーの任意の所与のグリッド下に保管される商品のラックの数によっても影響されるため、存在する。最小通路幅規格は、したがって、スプリンクラーからの水プルームが、ラックによって妨害されずに進行し、火災源に到着し、商品の隣接するラックを湿潤させ、１つのラックから別のラックへの飛火を防止するためのラック間の隙間を要求しながら、所与の面積内に保管され得る商品の量に関する限界としてのラック高規格と連動して作用する。より狭い最小通路幅は、したがって、ＥＳＦＲスプリンクラーの性能に関する需要の増加を表し、かつ任意の所与の最大保管高さにおける商品保管の密度の増加をもたらす。逆に言えば、標準的通路幅における使用のための承認を達成するために必要な最小試験基準を超えることができ、標準的最小通路幅未満の通路幅における使用のために承認されている（特定用途向け承認として知られる）、ＥＳＦＲスプリンクラーは、実証された改良性能を有すると見なされ得、これは、標準的通路幅においてさえ消火を改良し得る。
【０００６】
高ｋ係数ＥＳＦＲスプリンクラーの設計は、したがって、スプリンクラーがデフォルト用途のために指定または承認されたものとして市場化され得るように、そのようなスプリンクラーのための最小性能基準に合格する必要性によってだけではなく、また、より広範囲の用途、特に、ＮＦＰＡ１３における最小性能基準が認めているものより小さい通路幅において商品のより大きい密度の保管を可能にするものにおいて使用するための特殊用途承認を取得するために、それらの最小基準を超える性能を有するための所望によっても課題が課される。そのような高性能ＥＳＦＲスプリンクラーは、標準的保管密度および通路幅においてさえ、改良された保護を提供することが予期され得る。
【０００７】
明確なこととして、商品が保管され得る密度の増加を許容する能力の実証を通したものを含め、消火用スプリンクラー、特に、ＥＳＦＲタイプスプリンクラーを改良し、高隙間倉庫火災保護の課題に対処し、改良された性能をもたらす機会が存在する。
【発明の概要】
【課題を解決するための手段】
【０００８】
本発明は、消火用スプリンクラーに関する。例示的実施形態では、スプリンクラーは、ボアを囲繞する、本体を備える。ボアは、ボアと同軸に配列される流動軸を画定する。第１および第２のフレームアームが、本体の対向側上に搭載され、そこから流動軸に沿った方向に延在する。フレームアームは、平面を画定する。ノーズが、フレームアームの端部上に搭載される。ノーズは、流動軸と同軸に位置付けられる。偏向器プレートが、ノーズ上に搭載され、流動軸に対して横方向に配向される。偏向器プレートは、流動軸上に位置する中心を囲繞する、周縁を有する。例示的実施形態では、偏向器プレートは、周縁から中心に向かって半径方向に延在する、第１の構成の複数のスロットを備える。第１の構成のスロットのうちの少なくとも２つは、平面内に配置される。第２の構成の少なくとも４つのスロットは、第２の構成のスロットのうちの１つが、平面内に配置される第１の構成のスロットのそれぞれの各側に隣接して位置付けられるように、周縁から中心に向かって半径方向に延在し、周縁のまわりに位置する。第３の構成の複数のスロットが、周縁から中心に向かって半径方向に延在する。第２の構成のスロットは、第１の構成のスロットより大きい面積を有する。
【０００９】
例示的実施形態では、第２の構成のスロットは、第１および第３の構成のスロットのいずれかの最大面積を有する。さらなる実施例として、ボアは、ｋ＝１４．０以上のｋ係数を画定し、消火用スプリンクラーは、ペンダント配向に配設されるように適合される。例示的実施形態では、第２の構成のスロットは、周縁から延在するハンドルと、中心からある距離で終端する、棍棒ヘッドとを備える、棍棒形状を有する。ハンドルに近接する棍棒ヘッドの幅は、中心に近接する棍棒ヘッドの幅未満である。ある実施例では、棍棒ヘッドの最広幅は、ハンドルの最広幅より広い。さらなる実施例として、棍棒ヘッドは、中心からの距離に湾曲先端を有する。別の例示的実施形態では、棍棒ヘッドは、中心から半径方向に延在する線に対して非対称である。さらなる実施例では、棍棒ヘッドは、線に対して第１の角度に配向される第１の縁と、第１の縁と反対の第２の縁とによって画定され、第２の縁は、線に対して第２の角度に配向され、第２の角度は、第１の角度と異なる。
【００１０】
例示的実施形態では、第２の構成のスロットはそれぞれ、中心から半径方向に延在する線に対して対称である。さらなる実施例として、第２の構成のスロットは、周縁から延在する、ウエストと、中心からある距離で終端する、鍵ヘッドとを備える、鍵穴形状を有する。ある実施例では、鍵ヘッドの最広幅は、ウエストの最広幅より広い。さらなる実施例では、ウエストに近接する鍵ヘッドの幅は、中心に近接する鍵ヘッドの幅と等しい。例示的実施形態では、鍵ヘッドは、中心からの距離に湾曲先端を有する。さらなる実施例として、鍵ヘッドは、中心から半径方向に延在する線に対して対称である。
【００１１】
例示的実施形態では、第１の構成のスロットは、周縁から延在する、シャフトと、中心から第１の距離で終端する、矢じり（ａｒｒｏｗｈｅａｄ）とを備える、矢じり形状を有する。矢じりは、本実施例では、中心から半径方向に延在する線に対して非対称である。例示的実施形態では、矢じりは、線に対して第１の角度に配向される第１の縁と、第１の縁と反対の第２の縁とによって画定される。第２の縁は、線に対して第２の角度に配向され、第２の角度は、第１の角度と異なる。実施例として、矢じりの最広幅は、シャフトの最広幅より広い。ある実施例では、シャフトに近接する矢じりの幅は、中心に近接する矢じりの幅を上回る。さらなる実施例として、矢じりは、中心からの距離に湾曲先端を有する。別の実施例では、シャフトは、矢じりに近接するシャフトの幅を上回る幅を周縁に有する。例示的実施形態では、シャフトは、第１および第２の対向して配置される縁によって画定される。各縁は、シャフトが矢じりに近接するシャフトの幅を上回る幅を周縁に有するように、中心から半径方向に延在する線に対して角度を付けて配向される。
【００１２】
さらなる例示的実施形態では、偏向器プレートは、第４の構成の複数のスロットを備える。再び実施例として、偏向器プレートはさらに、第５の構成の複数のスロットを備える。
【００１３】
本発明によって包含される別の例示的実施形態では、消火用スプリンクラーは、ボアを囲繞する、本体を備える。ボアは、ボアと同軸に配列される流動軸を画定する。ある実施例では、第１および第２のフレームアームが、本体の対向側上に搭載され、そこから流動軸に沿った方向に延在する。フレームアームは、平面を画定する。ノーズが、フレームアームの端部上に搭載される。ノーズは、流動軸と同軸に位置付けられる。偏向器プレートが、ノーズ上に搭載され、流動軸に対して横方向に配向される。偏向器プレートは、流動軸上に位置する中心を囲繞する、周縁を有する。例示的実施形態では、偏向器プレートは、周縁から中心に向かって半径方向に延在し、中心から第１の距離で終端する、第１の構成の複数のスロットを備える。第１の構成のスロットのうちの少なくとも２つは、本実施例では、平面内に配置される。第２の構成の少なくとも４つのスロットが、周縁から中心に向かって半径方向に延在し、中心から第２の距離で終端する。第２の構成のスロットは、第２の構成のスロットのうちの１つが、平面内に配置される、第１の構成のスロットのそれぞれの各側に隣接して位置付けられるように、周縁のまわりに位置する。第３の構成の複数のスロットは、周縁から中心に向かって半径方向に延在し、中心から第３の距離で終端する。第２の距離は、本実施例では、第１または第３の距離のいずれか未満である。
【００１４】
例示的実施形態では、ノーズは、流動軸から測定された最大半径を有する。第１、第２、および第３の距離は、ある実施例では、最大半径を上回る。実施例として、ボアは、ｋ＝１４．０以上のｋ係数を画定し、消火用スプリンクラーは、ペンダント配向に配設されるように適合される。
【００１５】
例示的実施形態では、第２の構成のスロットは、周縁から延在するハンドルと、中心からある距離で終端する、棍棒ヘッドとを備える、棍棒形状を有する。ハンドルに近接する棍棒ヘッドの幅は、ある実施例では、中心に近接する棍棒ヘッドの幅未満である。別の実施例では、棍棒ヘッドの最広幅は、ハンドルの最広幅より広い。さらなる実施例では、棍棒ヘッドは、中心からの距離に湾曲先端を有する。例示的実施形態では、棍棒ヘッドは、中心から半径方向に延在する線に対して非対称である。棍棒ヘッドは、線に対して第１の角度に配向される第１の縁と、第１の縁と反対の第２の縁とによって画定される。第２の縁は、線に対して第２の角度に配向される。第２の角度は、第１の角度と異なる。別の実施例では、第２の構成のスロットはそれぞれ、中心から半径方向に延在する線に対して対称である。実施例として、第２の構成のスロットは、周縁から延在する、ウエストと、中心からある距離で終端する、鍵ヘッドとを備える、鍵穴形状を有する。例示的実施形態では、鍵ヘッドの最広幅は、ウエストの最広幅より広い。さらなる実施例として、ウエストに近接する鍵ヘッドの幅は、中心に近接する鍵ヘッドの幅と等しい。例示的実施形態では、鍵ヘッドは、中心からの距離に湾曲先端を有する。さらなる実施例として、鍵ヘッドは、中心から半径方向に延在する線に対して対称である。
【００１６】
例示的実施形態では、第１の構成のスロットは、周縁から延在する、シャフトと、中心から第１の距離で終端する、矢じりとを備える、矢じり形状を有する。矢じりは、中心から半径方向に延在する線に対して非対称である。実施例として、矢じりは、線に対して第１の角度に配向される第１の縁と、第１の縁と反対の第２の縁とによって画定される。第２の縁は、線に対して第２の角度に配向される。第２の角度は、第１の角度と異なる。実施例として、矢じりの最広幅は、シャフトの最広幅より広い。さらなる実施例では、シャフトに近接する矢じりの幅は、中心に近接する矢じりの幅を上回る。また、実施例として、矢じりは、中心からの距離に湾曲先端を有する。例示的実施形態では、シャフトは、矢じりに近接するシャフトの幅を上回る幅を周縁に有する。実施例として、シャフトは、第１および第２の対向して配置される縁によって画定される。各縁は、シャフトが矢じりに近接するシャフトの幅を上回る幅を周縁に有するように、中心から半径方向に延在する線に対して角度を付けて配向される。
【００１７】
例示的実施形態では、偏向器プレートはさらに、第４の構成の複数のスロットを備える。加えて、実施例として、偏向器プレートはさらに、第５の構成の複数のスロットを備える。
【００１８】
本発明は、早期制圧速動消火用スプリンクラーを包含する。例示的実施形態では、スプリンクラーは、ペンダント配向において使用するために適合される、本体を備える。本体は、ボアを囲繞する。ボアは、ボアと同軸に配列される流動軸を画定する。ボアは、ｋ＝２５．２以上のｋ係数を画定する。第１および第２のフレームアームが、本体の対向側上に搭載され、そこから流動軸に沿った方向に延在する。フレームアームは、平面を画定する。プラグが、フレームアーム間の本体上に除去可能に搭載され、ボアを覆う。ノーズが、プラグから１．０インチ未満の距離において、フレームアームの端部上に搭載される。ノーズは、流動軸と同軸に位置付けられる。偏向器プレートが、ノーズ上に搭載され、流動軸に対して横方向に配向される。偏向器プレートは、流動軸上に位置する中心を囲繞する、周縁を有する。例示的実施形態では、偏向器プレートは、周縁から中心に向かって半径方向に延在し、流動軸から第１の距離で終端する、複数の第１のスロットを備える。第１のスロットのうちの少なくとも２つは、平面内に配置される。複数の第２のスロットが、周縁から中心に向かって半径方向に延在し、流動軸から第２の距離で終端する。第２のスロットは、第２のスロットのうちの１つが、平面内に配置される、第１のスロットのそれぞれの各側に隣接して位置付けられるように、周縁のまわりに位置する。第２の距離は、例示的実施形態では、第１の距離未満である。例示的実施形態では、ノーズは、流動軸から測定された最大半径を有する。第１および第２の距離は、実施例として、最大半径を上回る。
【００１９】
別の例示的実施形態では、消火用スプリンクラーは、ボアを囲繞する、本体を備える。ボアは、ボアと同軸に配列される流動軸を画定する。第１および第２のフレームアームが、本体の対向側上に搭載され、そこから流動軸に沿った方向に延在する。ノーズが、フレームアームの端部上に搭載される。ノーズは、流動軸と同軸に位置付けられる。偏向器プレートが、ノーズ上に搭載され、流動軸に対して横方向に配向される。偏向器プレートは、流動軸上に位置する中心を囲繞する、周縁を有し、周縁から中心に向かって半径方向に延在する、第１のスロットを備える。第１のスロットは、周縁から延在する、第１のシャフトと、中心から第１の距離で終端する、第１の矢じりとを備える、矢形状を有する。第１のスロットは、第１のアームと整合される。第１のスロットの最広幅は、ある実施例では、第１のアームの厚さ以上である。
【００２０】
例示的実施形態では、シャフトは、第１および第２の対向して配置される縁によって画定される。各縁は、第１のシャフトが、第１の矢じりに近接する第１のシャフトの幅を上回る幅を周縁に有するように、中心から半径方向に延在する第１の線に対して角度を付けて配向される。さらなる実施例として、第１の矢じりの最広幅は、第１のシャフトの最広幅より広い。別の実施例では、第１のシャフトに近接する第１の矢じりの幅は、中心に近接する第１の矢じりの幅を上回る。また、実施例として、第１の矢じりは、中心から第１の距離に湾曲先端を有する。ある実施例では、第１のスロットは、中心から半径方向に延在する第１の線を中心として対称である。
【００２１】
さらなる実施例として、第２のスロットが、周縁から中心に向かって半径方向に延在する。第２のスロットは、周縁から延在するハンドルと、中心から第２の距離で終端する、棍棒ヘッドとを備える、棍棒形状を有する。ハンドルに近接する棍棒ヘッドの幅は、ある実施例では、中心に近接する棍棒ヘッドの幅未満である。例示的実施形態では、棍棒ヘッドの最広幅は、ハンドルの最広幅より広い。さらなる実施例では、棍棒ヘッドは、中心から第２の距離に湾曲先端を有する。別の実施例では、棍棒ヘッドは、中心から半径方向に延在する第２の線に対して非対称である。例示的実施形態では、棍棒ヘッドは、第２の線に対して第１の角度に配向される第１の縁と、第１の縁と反対の第２の縁とによって画定される。第２の縁は、第２の線に対して第２の角度に配向される。第２の角度は、例示的実施形態では、第１の角度と異なる。
【００２２】
例示的実施形態はさらに、周縁から中心に向かって半径方向に延在する、第３のスロットを備える。第３のスロットは、周縁から延在する、第２のシャフトと、中心から第３の距離で終端する、第２の矢じりとを備える、第２の矢形状を有する。第３の矢じりは、例示的実施形態では、中心から半径方向に延在する第３の線に対して非対称である。
【００２３】
さらなる実施例として、第２の矢じりは、第３の線に対して第１の角度に配向される第１の縁と、第１の縁と反対の第２の縁とによって画定される。第２の縁は、第３の線に対して第２の角度に配向される。第２の角度は、例示的実施形態では、第１の角度と異なる。実施例として、第２の矢じりの最広幅は、第２のシャフトの最広幅より広い。別の実施例では、第２のシャフトに近接する第２の矢じりの幅は、中心に近接する第２の矢じりの幅を上回る。さらなる実施例として、第２の矢じりは、中心から第３の距離に湾曲先端を有する。例示的実施形態では、第２のシャフトは、第２の矢じりに近接する第２のシャフトの幅を上回る幅を周縁に有する。実施例として、第２のシャフトは、第１および第２の対向して配置される縁によって画定される。各縁は、第２のシャフトが第２の矢じりに近接する第２のシャフトの幅を上回る幅を周縁に有するように、第３の線に対して角度を付けて配向される。例示的実施形態は、周縁から中心に向かって半径方向に延在する、第４のスロットを備える。第４のスロットは、周縁から延在する、ウエストと、中心から第４の距離で終端する、鍵ヘッドとを備える、鍵穴形状を有する。ある実施例では、鍵ヘッドの最広幅は、ウエストの最広幅より広い。さらなる実施例では、ウエストに近接する鍵ヘッドの幅は、中心に近接する鍵ヘッドの幅と等しい。さらなる実施例として、鍵ヘッドは、中心から第４の距離に湾曲先端を有する。例示的実施形態では、鍵ヘッドは、中心から半径方向に延在する第４の線に対して対称である。
【００２４】
例示的実施形態はさらに、周縁から中心に向かって半径方向に延在する、第５のスロットを備える。第５のスロットは、周縁から延在する、第３のシャフトと、中心から第５の距離で終端する、第３の矢じりとを備える、第３の矢形状を有する。第３のシャフトは、第３および第４の対向して配置される縁によって画定される。第３および第４の縁はそれぞれ、第３のシャフトが矢じりに近接する第３のシャフトの幅を上回る幅を周縁に有するように、中心から半径方向に延在する第５の線に対して角度を付けて配向される。例示的実施形態では、第３のシャフトは、周縁における第１のシャフトの幅より広い幅を周縁に有する。さらなる実施例として、第３の矢じりの最広幅は、第３のシャフトの最広幅より広い。別の実施例では、第３のシャフトに近接する第３の矢じりの幅は、中心に近接する第３の矢じりの幅を上回る。別の実施例では、第３の矢じりは、中心から第５の距離に湾曲先端を有する。例示的実施形態では、第３の矢じりは、中心から半径方向に延在する第５の線に対して対称である。
【００２５】
本発明はさらに、ボアを囲繞する、本体を備える、消火用スプリンクラーを包含する。ボアは、ボアと同軸に配列される流動軸を画定する。第１および第２のフレームアームが、本体の対向側上に搭載され、そこから流動軸に沿った方向に延在する。ノーズが、フレームアームの端部上に搭載される。ノーズは、流動軸と同軸に位置付けられる。偏向器プレートが、ノーズ上に搭載され、流動軸に対して横方向に配向される。偏向器プレートは、流動軸上に位置する中心を囲繞する、周縁を有し、周縁から中心に向かって半径方向に延在する、第１のスロットを備える。第１のスロットは、周縁から延在する、第１のシャフトと、中心から第１の距離で終端する、第１の矢じりとを備える、矢形状を有する。第１のシャフトは、第１および第２の対向して配置される縁によって画定される。第１および第２の縁はそれぞれ、第１のシャフトが、第１の矢じりに近接する第１のシャフトの幅を上回る幅を周縁に有するように、中心から半径方向に延在する第１の線に対して角度を付けて配向される。第２のスロットは、周縁から中心に向かって半径方向に延在する。第２のスロットは、周縁から延在する、第２のシャフトと、中心から第２の距離で終端する、第２の矢じりとを備える、矢形状を有する。第２のシャフトは、第１および第２の対向して配置される縁によって画定される。各縁は、第２のシャフトが第２の矢じりに近接する第２のシャフトの幅を上回る幅を周縁に有するように、中心から半径方向に延在する第２の線に対して角度を付けて配向されるように、第２のシャフトを画定する。第２の線は、第１の線に対してある角度に配向される。第３のスロットは、周縁から中心に向かって半径方向に延在する。第３のスロットは、周縁から延在するハンドルと、中心から第３の距離で終端する、棍棒ヘッドとを備える、棍棒形状を有する。ある実施例では、ハンドルに近接する棍棒ヘッドの幅は、中心に近接する棍棒ヘッドの幅未満である。第３のスロットは、第１のスロットと第２のスロットとの間に位置付けられる。第４のスロットは、周縁から中心に向かって半径方向に延在する。第４のスロットは、周縁から延在する、第３のシャフトと、中心から第４の距離で終端する、第３の矢じりとを備える、矢形状を有する。第４のスロットは、第２のスロットと第３のスロットとの間に位置付けられる。第５のスロットは、周縁から中心に向かって半径方向に延在する。第５のスロットは、周縁から延在する、ウエストと、中心から第５の距離で終端する、鍵ヘッドとを備える、鍵穴形状を有する。第５のスロットは、第２のスロットと第４のスロットとの間に位置付けられる。
【００２６】
例示的実施形態では、第３のスロットは、第１、第２、第４、および第５のスロットのいずれかの最大面積を有する。さらなる実施例として、第１の線と第２の線との間の角度は、９０°である。別の実施例では、周縁における第２のシャフトの幅は、周縁における第１のシャフトの幅を上回る。ある実施例では、第３の距離は、第１、第２、第４、および第５の距離未満である。さらなる実施例として、第５の距離は、第１、第２、および第４の距離未満である。別の実施例では、第１、第２、および第４の距離は、相互に等しい。
【００２７】
実施例として、棍棒ヘッドは、中心から半径方向に延在する第３の線に対して非対称である。別の実施例では、第３の矢じりは、中心から半径方向に延在する第４の線に対して非対称である。実施例はさらに、相互から１８０°でプレート内に位置付けられる、一対の第１のスロットを備える。別の実施例はさらに、それぞれ、第１のスロットのうちの１つから９０°および２７０°でプレート内に位置付けられる、第２のスロットのうちの２つを備える。実施例はさらに、それぞれ、第１のスロットのうちの１つから２２．５°、１５７．５°、２０２．５°および３３７．５°でプレート内に位置付けられる、第３のスロットのうちの４つを備える。例示的実施形態はさらに、それぞれ、第１のスロットのうちの１つから４５°、１３５°、２２５°、および３１５°でプレート内に位置付けられる、第４のスロットのうちの４つを備える。別の例示的実施形態は、それぞれ、第１のスロットのうちの１つから６７．５°、１１２．５°、２４７．５°および２９２．５°でプレート内に位置付けられる、第５のスロットのうちの４つを備える。
【図面の簡単な説明】
【００２８】
【図１】図１は、本発明による、例示的消火用スプリンクラーの側面図である。
【００２９】
【図１Ａ】図１Ａは、本発明による、例示的消火用スプリンクラーの側面図である。
【００３０】
【図１Ｂ】図１Ｂは、ペンダント配向に示される、例示的消火用スプリンクラーの等角図である。
【００３１】
【図２】図２は、図１に示される消火用スプリンクラーの部分的縦方向断面図である。
【００３２】
【図３】図３は、本発明による、図１に示される消火用スプリンクラーの端面図であって、例示的偏向器の平面図を示す。
【００３３】
【図３Ａ】図３Ａは、本発明による、消火用スプリンクラーの別の実施形態の端面図であって、例示的偏向器の平面図を示す。
【００３４】
【図４】図４は、図３に示される例示的偏向器の象限の平面図である。
【００３５】
【図４Ａ】図４Ａ、４Ｂ、および４Ｃは、それぞれ、拡大尺度における、図３における弧長４Ａ、４Ｂ、および４Ｃによって示されるような偏向器の扇状体の平面図である。
【図４Ｂ】図４Ａ、４Ｂ、および４Ｃは、それぞれ、拡大尺度における、図３における弧長４Ａ、４Ｂ、および４Ｃによって示されるような偏向器の扇状体の平面図である。
【図４Ｃ】図４Ａ、４Ｂ、および４Ｃは、それぞれ、拡大尺度における、図３における弧長４Ａ、４Ｂ、および４Ｃによって示されるような偏向器の扇状体の平面図である。
【発明を実施するための形態】
【００３６】
図１および２は、本発明による、例示的消火用スプリンクラー１０を示す。スプリンクラー１０は、例えば、「ｋ係数」約１７〜約３４、具体的には、２５．２を有する、早期制圧速動（ＥＳＦＲ）スプリンクラーであってもよい。
【００３７】
図２に示されるように、スプリンクラー１０は、本体１２を備え、これは、ボア１４を囲繞する。ボア１４は、ボアと同軸に配列される、流動軸１６を画定する。本体１０は、消火システムの配管ネットワーク（図示せず）へのスプリンクラー１０の接続のためのニップル１８と、配設の間、トルクをスプリンクラーに印加するために、レンチを受容する、複数の平坦表面２０（図１参照）とを有する。ニップル１８は、図１および２に示されるように、ねじ山付きであってもよい、または図１Ａに示されるように、ニップル１８は、溝２２を有し、スプリンクラーを消火システムの配管ネットワークに接続するために、機械的カップリングの使用を可能にしてもよい。第１および第２のフレームアーム２４および２６が、流動軸１６と平行な本体１２の対向側から延在し、アームの端部上に搭載される、ノーズ２８を支持する。アーム２４および２６は、ボア１４の端部からノーズ２８の基部まで測定されるような長さ３０だけ、流動軸１６に沿って延在する（図２参照）。ノーズ２８は、流動軸１６と同軸に位置付けられ、感熱性トリガ３２を支持する。ノーズ２８は、本実施例では、円錐形であって、最大半径３３（流動軸１６から測定される）を有し、これは、流動調整部分３４の中に遷移する。流動調整部分１６は、有利には、円筒形であって、長さ３６だけアーム２４および２６の端部を越えて延在し（図１参照）、それによって、偏向器が、アーム２４および２６の端部と離間関係において、ノーズ２８上に搭載されることを可能にする。
【００３８】
本実施例では、感熱性トリガ３２は、感熱性液体４０を含有する、易壊性ガラスバルブ（ｂｕｌｂ）３８を備える。バルブ３８は、ノーズ２８と、ボア１４を覆い、本体１２との係合を通して、それをシールする、シール部材４２、本実施例では、プラグ４４との間に延在する。図２に示されるように、ノーズ２８はまた、バルブ３８と整合されるノーズ２８内のボア４８内に螺入される、位置決めねじ４６を備える。位置決めねじ４６は、スプリンクラー１０の中へのバルブ３８の組立およびバルブ上への圧縮力の調節を可能にする。バルブ３８は、プラグ４４を支持し、スプリンクラー１０をその閉鎖構成（示される）に維持する。バルブ３８は、周囲温度が所定の値に到達する、例えば、火災を示すと、破損する。種々の実施形態では、そのような所定の温度値は、約１５５°Ｆまたは２００°Ｆであってもよい。バルブ３８が、破損すると、もはやプラグ４４を支持しなくなり、これは、次いで、本体１２との係合から解放され、スプリンクラー１０を開放し、水または他の消火流体が放出されることを可能にする。所定の温度で溶融し、スプリンクラーが開放することを可能にする、はんだによってともに保持される構成要素を有するもの等、他の感熱性トリガもまた、実行可能である。
【００３９】
偏向器５０が、ノーズ２８上に搭載される。図２および３に示されるように、例示的偏向器５０は、有利には、円形であって、流動軸１６に対して横方向に配向される、平面にある、プレート５２を備える。プレート５２は、中心５６を囲繞する、周縁５４を有し、中心は、流動軸１６と一致する。プレート５２は、厚さ５８を有する（図１参照）。偏向器５０は、距離３６において、アーム２４および２６の端部と離間関係において位置付けられる。例示的実施形態では、距離３６は、プレート５２の厚さ５８の２倍を上回る。別の例示的実施形態では、距離３６は、プレート５２の厚さ５８の約３倍である。
【００４０】
図３および４に示されるように、プレート５２は、複数のスロット６２を画定する。スロット６２は、ＦＭ  ＧｌｏｂａｌおよびＵＬによって発布された規格（そのような規格は、ＵＬ１７６７およびＦＭ２００８を含む）に定められる試験の合格を含む、ＮＦＰＡ１３下で配設を可能にするために、放出率、被覆面積サイズおよび形状を規制する規格、および他の性能規格を満たすように、ノーズ２８、アーム２４および２６（長さ３０を含む）、流動調整領域３４（長さ３６を含む）、およびボア１４と併せて設計される。
【００４１】
例示的スプリンクラー１０はさらに、天井高が、最大４８フィートであって、商品高が、最大４３フィートであって、通路間隔が、最小で４フィートである、具体的用途において配設されることがＵＬ１７６７下で認定される（かつＮＦＰＡ１３下で許可される）ことによって、商品のより高い密度の保管を可能にすることを含め、より高い性能を達成するように設計される。
【００４２】
この目的を達成するために、スロット６２は、５つの構成のスロット、すなわち、それぞれ、スロット６４、スロット６６、スロット６８、スロット７０、およびスロット７２を備え、その全ては、プレート５２の周縁５４からプレート中心５６に向かって半径方向に延在し、各スロットは、個別の線７４、７６、７８、８０、および８２に沿って延在し、これは、プレート中心５６から半径方向に延在する。
【００４３】
図３から明白であるように、スロット６４は、第１および第２のアーム２４および２６と整合され、これは、平面８４内に配置される。図４および４Ｃに示されるように、スロット６４は、プレート５２の周縁５４から延在し、点６４ａで終端し、これは、プレート中心５６から距離８６にある。スロット６４は、略矢形状であって、矢形状は、スロット６４が、周縁５６から延在するシャフト６４ｂと、点６４ａにおける湾曲先端６４ｄ内で終端する、矢じり６４ｃとを有することを意味する。スロット６４は、本実施例では、線７４を中心として対称であって、矢じり６４ｃは、シャフト６４ｂに近接する幅６４ｅを有し、これは、プレート中心５６に近接するその幅６４ｆを上回る。図３に示されるように、幅６４ｅは、有利には、それぞれ、アーム２４および２６の厚さ２４ａおよび２６ａに等しいまたはそれを上回ってもよい。再び図４および４Ｃを参照すると、矢じり６４ｃの最広幅である、幅６４ｅはまた、本実施例では、シャフト６４ｂの最広幅より広い。
【００４４】
有利には、シャフト６４ｂは、第１および第２の対向して配置される縁６４ｇおよび６４ｈによって画定され、これは、シャフト６４ｂが矢じり６４ｃに近接するシャフト６４ｂの幅６４ｊを上回る幅６４ｉをプレート周縁５４に有するように、線７４に対して角度を付けて配向される。
【００４５】
図３、４、および４Ｂに示されるように、スロット６６は、２つのスロット６４の各側に隣接し、プレート５２の周縁５４から延在し、点６６ａで終端し、これは、プレート中心５６から距離８８にある。スロット６６は、略棍棒形状であって、棍棒形状は、スロット６６が、周縁５４から延在する、ハンドル６６ｂと、点６６ａで終端する、棍棒ヘッド６６ｃとを備えることを意味する。ハンドル６６ｂに近接する棍棒ヘッド６６ｃの幅６６ｄは、プレート中心５６に近接する棍棒ヘッドの幅６６ｅ未満である。棍棒ヘッド６６ｃは、湾曲先端６６ｆ内の点６６ａで終端する。棍棒ヘッドの最広幅６６ｅは、ハンドル６６ｂの最広幅６６ｇより広い。
【００４６】
図４Ｂに示されるように、スロット６６は、好ましくは、線７６を中心として非対称である。棍棒ヘッド６６ｃは、線７６に対して第１の角度６６ｉに配向される、第１の縁６６ｈと、線７６に対して第２の角度６６ｋに配向される、第２の縁６６ｊとによって画定される。角度６６ｉは、角度６６ｋと異なり、スロット６６の非対称性を生産する。スロット６６は、有利には、スロット６４、６８、７０、および７２のいずれかの最大表面積を有する。
【００４７】
図３、４、および４Ｂに示されるように、スロット６８は、プレート５２の周縁５４から延在し、点６８ａで終端し、これは、プレート中心５６から距離９０にある。スロット６８は、略矢形状であって、矢形状は、スロット６８が、周縁５６から延在する、シャフト６８ｂと、点６８ａにおける湾曲先端６８ｄ内で終端する、矢じり６８ｃとを有することを意味する。矢じり６８ｃは、シャフト６８ｂに近接する幅６８ｅを有し、これは、プレート中心５６に近接するその幅６８ｆを上回る。矢じり６８ｃの最広幅である、幅６８ｅはまた、本実施例では、シャフト６８ｂの最広幅より広い。
【００４８】
有利には、シャフト６８ｂは、第１および第２の対向して配置される縁６８ｇおよび６８ｈによって画定され、これは、シャフト６８ｂが矢じり６８ｃに近接するシャフト６８ｂの幅６８ｊを上回る幅６８ｉをプレート周縁５４に有するように、線７８に対して角度を付けて配向される。
【００４９】
４Ｂに示されるように、スロット６８は、本実施例では、線７８を中心として非対称である。矢じり６８ｃは、線７８に対して第１の角度６８ｍに配向される、第１の縁６８ｋと、線７８に対して第２の角度６８ｐに配向される、第２の縁６８ｎとによって画定される。角度６８ｍは、角度６８ｐと異なり、スロット６８の非対称性を生産する。
【００５０】
図３、４、および４Ａに示されるように、スロット７０は、スロット６８と７２との間にあって、線８０に沿ってプレート周縁５４から延在し、プレート中心５６から距離９２における点７０ａで終端する。スロット７０は、略伸長鍵穴形状であって、伸長鍵穴形状は、スロット７０が、周縁５４から延在する、ウエスト７０ｂと、湾曲先端７０ｄ内の点７０ａで終端する、鍵ヘッド７０ｃとを備えることを意味する。スロット７０は、本実施例では、線８０を中心として対称である。ウエスト７０ｂに近接する鍵ヘッド７０ｃの幅７０ｅは、プレート中心５６に近接する鍵ヘッドの幅７０ｆと等しい。最広幅７０ｅまたは７０ｆは、ウエスト７０ｂの最広幅７０ｇより広い。
【００５１】
図３Ａは、鍵穴形状を有する、スロット７０が、２つのスロット６４の各側に隣接して位置付けられ、プレート５２の周縁５４から延在し、事実上、スロット６６に取って代わる、別の実施形態を示す。
【００５２】
図３、４、および４Ａに示されるように、スロット７２は、プレート５２の周縁５４から延在し、点７２ａで終端し、これは、プレート中心５６から距離９４にある。スロット７２は、略矢形状であって、矢形状は、スロット７２が、周縁５６から延在する、シャフト７２ｂと、点７２ａにおける湾曲先端７２ｄ内で終端する、矢じり７２ｃとを有することを意味する。スロット７２は、本実施例では、線８２を中心として対称であって、矢じり７２ｃは、シャフト７２ｂに近接する幅７２ｅを有し、これは、プレート中心５６に近接するその幅７２ｆを上回る。矢じり７２ｃの最広幅である、幅７２ｅはまた、本実施例では、シャフト７２ｂの最広幅より広い。
【００５３】
有利には、シャフト７２ｂは、第１および第２の対向して配置される縁７２ｇおよび７２ｈによって画定され、これは、シャフト７２ｂが矢じり７２ｃに近接するシャフト７２ｂの幅７２ｊを上回る幅７２ｉをプレート周縁５４に有するように、線８２に対して角度を付けて配向される。また、幅７２ｉが周縁におけるシャフト６４ｂの幅６４ｉを上回るとき、有利である。また、線８２が、線７４に対して９０°に配向され、スロット７２がスロット６４に対して９０°に配向される結果をもたらすことも、有利である。加えて、距離８６、８８、９０、９２、および９４に関して、距離８８が、距離８６、９０、９２、および９４未満である場合、有利である。さらに、距離９２が、距離８６、９０、および９４未満である場合、有利である。さらに、距離８６、９０、および９４が、相互に等しい場合、有利である。
【００５４】
図３に示されるスロット６２の例示的配列は、有利であることが予期される。本配列では、５つの異なるタイプのスロット６２が存在する。スロット６４は、相互から１８０°においてプレート５２内に位置付けられる、一対の第１のスロット（第１の構成）と見なされ得る。スロット７２は、第１のスロット６４のうちのいずれか１つから９０°および２７０°においてプレート５２内に位置付けられる、一対の第２のスロット（第２の構成）と見なされ得る。スロット６６は、第３のスロット（第３の構成）と見なされ得る。例示的配列では、第１のスロット６４のうちの１つから２２．５°、１５７．５°、２０２．５°、および３３７．５°においてプレート５２内に位置付けられる、第３の構成スロット６６のうちの４つが存在する。スロット６８は、第４のスロット（第４の構成）であると見なされ得る。例示的配列では、それぞれ、第１のスロット６４のうちの１つから４５°、１３５°、２２５°、および３１５°においてプレート５２内に位置付けられる、４つの第４の構成スロットが存在する。スロット７０は、第５のスロット（構成タイプ）であると見なされ得る。例示的配列では、それぞれ、第１のスロット６４のうちの１つから６７．５°、１１２．５°、２４７．５°、および２９２．５°において、プレート５２内に位置付けられる、４つの第５の構成スロットが存在する。スロットの角度分離は、製造公差を被る、例示的公称角度であって、したがって、本明細書に規定されるようなものから変動してもよいことを理解されたい。
【００５５】
図３に示されるようなスロット６２の配列はまた、スロットが流動軸１６から終端する距離に基づいて、特徴付けられ得る。示される例示的実施形態では、例えば、スロット６４、６８、および７２を含む、複数の第１のスロットと、例えば、スロット６６および７０を含む、複数の第２のスロットとは、周縁５４から流動軸１６に向かって半径方向に延在する。特に、第１のスロット６４のうちの２つは、平面８４内に配置され（アーム２４および２６と整合され）、第２のスロット６６のうちの１つは、第１のスロット６４のそれぞれの各側に隣接して位置付けられ、これは、平面８４内に配置される。図４を参照すると、流動軸１６からの第２のスロット６６の終端距離８８が第１のスロット６４の流動軸からの終端距離８６未満であることが、有利であると考えらえる。さらなる利点は、流動軸１６からの終端距離８８および８６が、ノーズ２８の最大半径３３を上回る（図１参照）場合、可能性として考えられる。上記に説明される第１および第２のスロットの配列を伴う、ペンダントＥＳＦＲスプリンクラー１０（図１および１Ｂ参照）に関して、ノーズ２８が、図１に示されるように、プラグ４４から１．０インチ未満の距離９６において、フレームアーム２４および２６の端部上に搭載されることが望ましい。図１Ａに示されるように、ペンダントスプリンクラーは、消火流体の放出が下向き方向であるように、流動軸１６が垂直に配向された状態で、パイプライン９８内に搭載される。
【００５６】
本発明による、その角度分離、形状、サイズ設定、およびアーム２４および２６に対するその配向および間隔を意味する、スロット６２の配列は、有利には、フレームシャドーイングとして知られる効果を補償し、それによって、アーム２４および２６が、ボア１４から退出する流体の流動において偏向器５０上に衝突するための断続性を呈することによって、火災スプリンクラー、特に、ＥＳＦＲスプリンクラーの改良された性能を助長すると考えられる。特に、フレームアームの上方に位置するスロット（スロット６４等）に隣接する、最大表面積を伴う、または軸１６に向かって最も深く延在する、スロット（スロット６６等）の場所は、フレームシャドーイングを補償することに役立つと考えられる。さらに、フレームシャドーイングの効果が最小である、フレームアームの場所から遠隔の対称スロット（スロット７０および７２等）の場所は、フレームシャドーイングの限定された効果に起因して、流動がその最も均一状態にある、流体の均一分布を助長すると考えられる。本配列はまた、スロット長、面積、および非対称性のいずれかが、概して、フレームアームの上方またはそれに隣接する極大値からフレームアームから等距離の極小値に低減され、そのような低減が、独立して、流動軸から異なる終端距離を有する、第１および第２のスロット上で生じるものと見なされ得る。フレームシャドーイングの効果の改良された補償をもたらす、本発明の有利な配列は、スプリンクラー１０から放出される水のより均一な分布が、助長される結果をもたらし、これは、改良された性能をもたらすと考えられる。
【００５７】
本発明による消火用スプリンクラーは、ＵＬ１７６７の要件を満たし、低減された通路幅における承認および全ての指定された条件下でのより良好かつより均一性能をもたらすことを含め、ＥＳＦＲスプリンクラーのための規格を満たす、またはそれを超えることが予期される。
【図１】
2021516095.tif 000003
【図１Ａ】
2021516095.tif 000004
【図１Ｂ】
2021516095.tif 000005
【図２】
2021516095.tif 000006
【図３】
2021516095.tif 000007
【図３Ａ】
2021516095.tif 000008
【図４】
2021516095.tif 000009
【図４Ａ】
2021516095.tif 000010
【図４Ｂ】
2021516095.tif 000011
【図４Ｃ】
2021516095.tif 000012
【国際調査報告】
2021516095.tif 000013
2021516095.tif 000014
2021516095.tif 000015